【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
インクを吐出する複数のノズルと、
前記ノズルに各々連通するとともに一端からインクが供給され他端からインクが排出され一方向に配列された複数の圧力室と、
前記複数の圧力室の配列に対して設けられ、前記圧力室の各々にインクを強制的に供給するインク供給路と、
前記複数の圧力室の配列に対して設けられ、前記圧力室の各々からインクを回収するインク排出路と、
前記インク供給路にのみ設けられ、前記インク供給路の少なくとも両端に配置される、前記インク供給路にインクを供給する供給穴と、
前記インク排出路にのみ設けられるとともに、前記インク排出路の少なくとも両端に配置される、前記インク排出路のインクを排出する排出穴と、を備え、
前記インク供給路内のインク及び前記インク排出路内のインクに、前記圧力室の配列方向に平行、且つ、互いに反対方向の流れをそれぞれ発生させることを特徴とするインクジェットヘッド。
【請求項２】
２つの前記圧力室の配列に対して２つの前記インク供給路と１つの前記インク排出路を具備し、前記インク排出路の圧力損失抵抗を前記インク供給路の圧力損失抵抗に対して略１／２としたことを特徴とする請求項１記載のインクジェットヘッド。
【請求項３】
２つの前記圧力室の配列に対して１つの前記インク供給路と２つの前記インク排出路を具備し、前記インク供給路の圧力損失抵抗を前記インク排出路の圧力損失抵抗に対して略１／２としたことを特徴とする請求項１記載のインクジェットヘッド。
【請求項４】
１つの前記圧力室の配列に対して１つの前記インク供給路と１つの前記インク排出路を具備し、前記インク排出路の圧力損失抵抗を前記インク供給路の圧力損失抵抗より大きくし、前記圧力室の各々に前記インクを供給することに伴う前記ノズルのノズル間圧力分布と、前記ノズルからの前記インクの吐出に伴う前記インクの補給によるノズル間圧力分布とが互いに打ち消すことを特徴とする請求項１記載のインクジェットヘッドを搭載するインクジェット記録装置。
【請求項５】
２つの前記圧力室の配列に対して２つの前記インク供給路と１つの前記インク排出路を具備し、前記インク排出路の圧力損失抵抗を前記インク供給路の圧力損失抵抗の１／２より大きくすることにより、前記圧力室の各々に前記インクを供給することに伴う前記ノズルのノズル間圧力分布と、前記ノズルからのインクの吐出に伴う前記インクの補給によるノズル間圧力分布とが互いに打ち消すようにしたことを特徴とする請求項１記載のインクジェットヘッドを搭載するインクジェット記録装置。
【請求項６】
２つの前記圧力室の配列に対して１つの前記インク供給路と２つの前記インク排出路を具備し、前記インク排出路の圧力損失抵抗を前記インク供給路の圧力損失抵抗の２倍より大きくすることにより、前記圧力室の各々に前記インクを供給することに伴う前記ノズルのノズル間圧力分布と、前記ノズルからの前記インクの吐出に伴う前記インクの補給によるノズル間圧力分布とが互いに打ち消すようにしたことを特徴とする請求項１記載のインクジェットヘッドを搭載するインクジェット記録装置。
【手続補正２】
【補正対象書類名】明細書
【補正対象項目名】０００６
【補正方法】変更
【補正の内容】
【０００６】
実施形態のインクジェットヘッドは、インクを吐出する複数のノズルと、前記ノズルに各々連通するとともに一端からインクが供給され他端からインクが排出され一方向に配列された複数の圧力室と、前記複数の圧力室の配列に対して設けられ、前記圧力室の各々にインクを強制的に供給するインク供給路と、前記複数の圧力室の配列に対して設けられ、前記圧力室の各々からインクを回収するインク排出路と、前記インク供給路にのみ設けられ、前記インク供給路の少なくとも両端に配置される、前記インク供給路にインクを供給する供給穴と、前記インク排出路にのみ設けられるとともに、前記インク排出路の少なくとも両端に配置される、前記インク排出路のインクを排出する排出穴と、を備え、前記インク供給路内のインク及び前記インク排出路内のインクに、前記圧力室の配列方向に平行、且つ、互いに反対方向の流れをそれぞれ発生させる。
【手続補正３】
【補正対象書類名】明細書
【補正対象項目名】０１０３
【補正方法】変更
【補正の内容】
【０１０３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
［１］  インクを吐出する複数のノズルと、中央で前記ノズルに各々連通するとともに一端からインクが供給され他端からインクが排出され一方向に配列された複数の圧力室と、前記圧力室の各々にインクを強制的に供給するインク供給路と、前記圧力室の各々からインクを回収するインク排出路と、前記インク供給路にインクを供給する供給穴と、前記インク排出路のインクを排出する排出穴と、を有するインクジェットヘッドにおいて、
前記インク供給路内のインク及び前記インク排出路内のインクに、前記圧力室の配列方向に平行、且つ、互いに反対方向の流れをそれぞれ発生させることを特徴とするインクジェットヘッド。
［２］  １つの前記圧力室の配列に対して１つの前記インク供給路と１つの前記インク排出路を具備し、前記インク供給路と前記インク排出路の圧力損失抵抗を略同一としたことを特徴とする［１］記載のインクジェットヘッド。
［３］  ２つの前記圧力室の配列に対して２つの前記インク供給路と１つの前記インク排出路を具備し、前記インク排出路の圧力損失抵抗を前記インク供給路の圧力損失抵抗に対して略１／２としたことを特徴とする［１］記載のインクジェットヘッド。
［４］  ２つの前記圧力室の配列に対して１つの前記インク供給路と２つの前記インク排出路を具備し、前記インク供給路の圧力損失抵抗を前記インク排出路の圧力損失抵抗に対して略１／２としたことを特徴とする［１］記載のインクジェットヘッド。
［５］  １つの前記圧力室の配列に対して１つの前記インク供給路と１つの前記インク排出路を具備し、前記インク排出路の圧力損失抵抗を前記インク供給路の圧力損失抵抗より大きくし、前記圧力室の各々に前記インクを供給することに伴う前記ノズルのノズル間圧力分布と、前記ノズルからの前記インクの吐出に伴う前記インクの補給によるノズル間圧力分布とが互いに打ち消すことを特徴とする［１］記載のインクジェットヘッドを搭載するインクジェット記録装置。
［６］  ２つの前記圧力室の配列に対して２つの前記インク供給路と１つの前記インク排出路を具備し、前記インク排出路の圧力損失抵抗を前記インク供給路の圧力損失抵抗の１／２より大きくすることにより、前記圧力室の各々に前記インクを供給することに伴う前記ノズルのノズル間圧力分布と、前記ノズルからのインクの吐出に伴う前記インクの補給によるノズル間圧力分布とが互いに打ち消すようにしたことを特徴とする［１］記載のインクジェットヘッドを搭載するインクジェット記録装置。
［７］  ２つの前記圧力室の配列に対して１つの前記インク供給路と２つの前記インク排出路を具備し、前記インク排出路の圧力損失抵抗を前記インク供給路の圧力損失抵抗の２倍より大きくすることにより、前記圧力室の各々に前記インクを供給することに伴う前記ノズルのノズル間圧力分布と、前記ノズルからの前記インクの吐出に伴う前記インクの補給によるノズル間圧力分布とが互いに打ち消すようにしたことを特徴とする［１］記載のインクジェットヘッドを搭載するインクジェット記録装置。